(57)【要約】【課題】型枠内へのコンクリートの打込みによってアンカーボルトが動くのを防ぐことができ、しかも、基礎を短工期で完成することができるアンカーボルトのセッティング方法等を提供する。【解決手段】プレキャストコンクリートからなるベース体２にアンカーボルト３が一体的に立設されているアンカーボルトプレセット構造物１を用い、該構造物１をコンクリート打込み空間部に自立状態に設置する。構造物１は、アンカーボルト３の下端部がベース体２のコンクリートに埋め込まれて一体化されているものであってもよいし、ベース体２のコンクリートにネジ体４が埋め込まれて一体化され、アンカーボルト３がその下端ネジ部３ｂをベース体２の前記ネジ体４に螺合して取外し可能にベース体と一体化されているものであってもよい。  【選択図】      図１
2005105627.tif 000002
【特許請求の範囲】
【請求項１】
プレキャストコンクリートからなるベース体にアンカーボルトが一体的に立設されているアンカーボルトプレセット構造物を用い、
該アンカーボルトプレセット構造物をコンクリート打込み空間部に自立状態に設置することを特徴とするアンカーボルトのセッティング方法。
【請求項２】
プレキャストコンクリートからなるベース体にアンカーボルトが一体的に立設されていることを特徴とするアンカーボルトプレセット構造物。
【請求項３】
前記アンカーボルトの下端部がベース体のコンクリートに埋め込まれて一体化されている請求項２に記載のアンカーボルトプレセット構造物。
【請求項４】
ベース体のコンクリートにネジ体が埋め込まれて一体化され、アンカーボルトがその下端ネジ部をベース体の前記ネジ体に螺合して取外し可能にベース体と一体化されている請求項２に記載のアンカーボルトプレセット構造物。
【発明の詳細な説明】
【技術分野】
【０００１】
本発明は、基礎などに備えられるアンカーボルトのセッティング方法及びアンカーボルトプレセット構造物に関する。
【背景技術】
【０００２】
コンクリート基礎に埋込み状態に備えられるアンカーボルトのセッティング方法として、図５（イ）に示すように、コンクリートの打込みを行う前に、コンクリート打ち込み空間部においてアンカーボルト５３を正確な位置出しをしてから型枠５７，５７に固定する方法がある。
【０００３】
しかしながら、この方法では、セッティング後のコンクリートの打込みによって型枠５７，５７が動くことがあり、それに伴ってアンカーボルト５３が動いて、アンカーボルト５３に位置のずれや傾きを生じることがあるという問題があった。
【０００４】
そこで、図５（ロ）に示すように、アンカーボルト５３を、型枠５７，５７に依存させないでセッティングする方法も考えられている。この方法は、図６（イ）（ロ）に示すように、地面に形成した溝５８にアンカーボルト保持のためのベースとなるコンクリート５９を打ち込み、ベースコンクリート５９が図６（ハ）に示すように硬化するのを待ってから、このベースコンクリート５９に、図６（ニ）に示すように、アンカー鉄板６２をベースコンクリート５９に固定すると共に、このアンカー鉄板６０にアンカーボルト５３を固定することで、アンカーボルト５３をベースコンクリート５９に保持させようというものである。なお、アンカー鉄板６０に予めアンカーボルト５３を固定したものをベースコンクリート５９に固定するというようにしてもよい。
【発明の開示】
【発明が解決しようとする課題】
【０００５】
しかしながら、上記のようなセッティング方法では、アンカーボルト５３のセッティングのためにベースコンクリート５９が硬化するのを待たなければならず、基礎の完成までに長い工期を必要とするという問題がある。
【０００６】
本発明は、上記のような問題点に鑑み、型枠内へのコンクリートの打込みによってアンカーボルトが動くのを防ぐことができ、しかも、基礎を短工期で完成することができるアンカーボルトのセッティング方法等を提供することを課題とする。
【課題を解決するための手段】
【０００７】
上記の課題は、プレキャストコンクリートからなるベース体にアンカーボルトが一体的に立設されているアンカーボルトプレセット構造物を用い、
該アンカーボルトプレセット構造物をコンクリート打込み空間部に自立状態に設置することを特徴とするアンカーボルトのセッティング方法によって解決される。
【０００８】
この方法では、アンカーボルトを保持するベース体がコンクリートからなっているので、アンカーボルトはこのベース体によって正確な位置にしっかりと保持され、型枠内へのコンクリートの打込みによって、アンカーボルトが位置ずれを起こしたり、傾いたりすることがなく、セッティングどおりの状態を維持することができる。
【０００９】
しかも、このベース体はプレキャストコンクリートからなっているで、現場でベース体用のコンクリートが硬化するのを待つ必要がなく、このベース体をコンクリート打込み空間部に設置するだけでアンカーボルトをしっかりとした保持状態にセッティングすることができ、基礎を短工期で完成することができる。
【００１０】
また、上記の課題は、プレキャストコンクリートからなるベース体にアンカーボルトが一体的に立設されていることを特徴とするアンカーボルトプレセット構造物によって同様に解決される。
【００１１】
このアンカーボルトプレセット構造物は、アンカーボルトの下端部がベース体のコンクリートに埋め込まれて一体化されているものであってもよいし、あるいは、ベース体のコンクリートにネジ体が埋め込まれて一体化され、アンカーボルトがその下端ネジ部をベース体の前記ネジ体に螺合して取外し可能にベース体と一体化されているものであってもよい。
【００１２】
いずれのアンカーボルトプレセット構造物によっても、型枠内へのコンクリートの打込みによってアンカーボルトが動くのを防ぐことができ、しかも、基礎を短工期で完成することができる。特に、後者のアンカーボルトプレセット構造物については、その製作を容易に行うことができるのみならず、運搬や保管、現場でのセッティング作業において必要に応じてベース体からアンカーボルトを分離することができ、取扱い性に優れる。また、前者のアンカーボルトプレセット構造物については、その構成部品点数を少なくしてアンカーボルトプレセット構造物を構造簡素なものにすることができる等のメリットがある。
【発明の効果】
【００１３】
本発明は、以上のとおりのものであるから、型枠内へのコンクリートの打込みによってアンカーボルトが動くのを防ぐことができ、しかも、基礎を短工期で完成することができる。
【発明を実施するための最良の形態】
【００１４】
次に、本発明の実施最良形態を図面に基づいて説明する。
【００１５】
図１〜図３に示す実施形態方法は、建物の布基礎に用いられるアンカーボルトのセッティング方法に関するもので、１はアンカーボルトプレセット構造物であり、本実施形態のアンカーボルトプレセット構造物１は、図１（イ）（ロ）に示すように、プレキャストコンクリートからなるベース体２にアンカーボルト３が一体的に立設されたものであり、具体的には、図１（ハ）に示すように、ベース体２のコンクリートにはネジ体４が埋め込まれて一体化されており、アンカーボルト３はその下端ネジ部３ｂをベース体２の前記ネジ体４に螺合緊結して取外し可能にベース体２と一体化されたものである。
【００１６】
そして、本実施形態のアンカーボルトプレセット構造物１では、図１（ロ）に示すように、ベース体２に複数本のアンカーボルト３，３が立設されており、これらアンカーボルト３，３が、図２（イ）（ロ）に示すように、その上端部のネジ３ａ，３ａを利用して連結部品５で連結され、アンカーボルトプレセット構造物１におけるアンカーボルト３，３部分の剛性が高められている。なお、この連結部品５は、連結専用具からなっていてもよいし、ピース状の建物構成部品からなっていてもよい。また、連結部品５は、アンカーボルトプレセット構造物１に用いられてもよいし、用いられなくてもよい。
【００１７】
アンカーボルト３のセッティングは、上記のアンカーボルトプレセット構造物１を用い、図３（イ）に示すように、この構造物１の設置領域の地面６の高さや地面状態等を調整した後、図３（ロ）に示すように、アンカーボルトプレセット構造物１を自立状態に設置すれば、アンカーボルト３がセッティングされる。こうしてアンカーボルト３のセッティングを終えた後、図３（ハ）に示すように型枠７，７を設置すると共に配筋し、しかる後、型枠７，７間にコンクリートを打ち込む。
【００１８】
上記のアンカーボルト３は、その下端部がコンクリートからなるベース体２にしっかりと保持されているので、型枠７，７間に打ち込まれるコンクリートによって、位置ずれを起こしたり、傾いたりすることがなく、コンクリートの打込み中、セッティングどおりの状態を維持することができる。
【００１９】
特に、本実施形態では、アンカーボルトプレセット構造物１において、アンカーボルト３が複数本立設され、それらが上端部において連結部品５で互いに連結されているので、各アンカーボルト３，３がコンクリートの打込みに、より一層しっかりと耐えることができる。
【００２０】
また、アンカーボルトプレセット構造物１の構成部品であるベース体２はプレキャストコンクリートからなっているで、このベース体２をコンクリート打込み空間部に設置するだけでアンカーボルト３をしっかりとした保持状態にセッティングすることができ、従来のように、アンカーボルトを保持するベース部のコンクリートの硬化を現場で待つ必要がなく、基礎を短工期で完成することができる。
【００２１】
更に、本実施形態で用いるアンカーボルトプレセット構造物１は、ベース体２とアンカーボルト３とが互いに分離可能であるから、運搬や保管、現場でのセッティング作業において、必要に応じてベース体２からアンカーボルトを分離することができる。
【００２２】
具体的には例えば、セッティング作業において、腰を曲げずにアンカーボルト３を握りながらベース体２を設置していくというようなことができないような事情がある場合において、ベース体２を先行して所定の位置に設置し、しかる後、このベース体２にアンカーボルト３を一体化するというような用い方をしてもよい。その場合であっても、アンカーボルト３をベース体２にしっかりと一体化することができて、型枠７，７間に打ち込まれるコンクリートによってぐらつくようなことはない。
【００２３】
また、運搬や保管時において、ベース体２とアンカーボルト３とを分離状態にしておくことによって、アンカーボルトプレセット構造物１をコンパクトにでき、嵩張らせることなく運搬や保管を行うことができる。
【００２４】
なお、連結部品５については、運搬時や取扱い時からアンカーボルトプレセット構造物１に取り付けておけば不本意な外力の作用でアンカーボルト３が曲がってしまうようなことを防ぐことができるけれども、必要に応じて、運搬や取扱い、保管、セッティング作業等においてアンカーボルト３から分離されていてもよい。
【００２５】
図４に示すアンカーボルトプレセット構造物１は、アンカーボルト３とベース体２とが一体不可分に構成されているものであり、アンカーボルト３の下端部がベース体２のコンクリートに埋め込まれて一体化されている。このアンカーボルトプレセット構造物１では、上記の実施形態におけるアンカーボルトプレセット構造物１のように、ベース体２とアンカーボルト３とを分離できるものではないが、アンカーボルト３をベース体２に精度高く一体化することができるというメリットがある。
【００２６】
以上に、本発明の実施形態を示したが、本発明はこれに限られるものではなく、発明思想を逸脱しない範囲で各種の変更が可能である。例えば、プレキャストコンクリートからなるベース体にアンカーボルトを一体的に立設させる具体的構造として、上記の各実施形態で示した以外の構造が採用されてもよい。
【図面の簡単な説明】
【００２７】
【図１】実施形態のアンカーボルトプレセット構造物を示すもので、図（イ）は断面側面図、図（ロ）は断面正面図、図（ハ）はベース体とアンカーボルトとを分離状態にした断面正面図である。
【図２】同アンカーボルトプレセット構造物に連結部品を備えさせたもので、図（イ）は断面正面図、図（ロ）は断面側面図である。
【図３】図（イ）〜図（ハ）はセッティング方法を順次に示す断面側面図である。
【図４】アンカーボルトプレセット構造物の他の実施形態を示すもので、図（イ）は断面正面図、図（ロ）は断面側面図、図（ハ）はセッティング状態のアンカーボルトプレセット構造物を示す断面側面図である。
【図５】図（イ）及び図（ロ）はそれぞれ、従来のセッティング方法を示す断面側面図である。
【図６】図（イ）〜図（ニ）は、図５（ロ）のセッティング方法を順次に示す断面側面図である。
【符号の説明】
【００２８】
１…アンカーボルトプレセット構造物
２…ベース体
３…アンカーボルト
【図１】
2005105627.tif 000003
【図２】
2005105627.tif 000004
【図３】
2005105627.tif 000005
【図４】
2005105627.tif 000006
【図５】
2005105627.tif 000007
【図６】
2005105627.tif 000008